(57)【要約】    【課題】複数台の子機からの画像・音声を居室親機若しくは増設親機に同時に録画・録音させる。    【解決手段】子機１ａ〜１ｄは、子機に端末番号を識別するための識別子を付与し、カメラ１３からの画像データおよびマイクからの音声データからパケットを生成するパケット前処理部１８を備えている。  居室親機３若しくは増設親機５ａ〜５ｄは、パケットから音声データ、画像データを分離する親機パケット処理部３４と、パケットから音声データを抽出する音声パケット処理部３５ｃと、識別子の判別を行う端末番号判別回路４１と、端末番号判別回路で識別された複数の音声データ、画像データを蓄積する不揮発性メモリ４２とを備えている。    【選択図】図２
2006211268.tif 000002
【特許請求の範囲】
【請求項１】
複数の子機（１ａ〜１ｄ）のカメラ（１３）で訪問者の映像を撮像して得られる画像データを伝送路（Ｌ１、Ｌ２）を介して接続された居室親機（３）および／または増設親機（５ａ〜５ｄ）のディスプレイ（３９）に表示するとともに前記子機のマイク（１１ａ）、スピーカ（１１ｂ）および前記居室親機の通話装置（４８）間で通話するにあたり、
前記子機は、前記カメラにて撮像された画像データを圧縮するための画像データ圧縮回路（１６）と、前記マイクからの音声データを符号化する子機ＣＯＤＥＣ（１２）と、前記子機に端末番号を識別するための識別子を付与し、前記画像データおよび前記音声データからパケットを生成するパケット前処理部（１８）と、前記パケットをフレーム化して送受信制御するための子機ＬＡＮＭＡＣ（２０）と、前記フレーム化されたパケットを符号化するための子機ＬＡＮＰＨＹ（２１）とを備え、
前記居室親機若しくは前記増設親機は、前記伝送路より符号化されたパケットを受信し、復号化する親機ＬＡＮＰＨＹ（３２）と、復号化されたパケットの受信を制御する親機ＬＡＮＭＡＣ（３３）と、前記パケットから音声データ、画像データを分離する親機パケット処理部（３４）と、圧縮された画像データを伸長するための画像データ伸長回路（３７）と、前記画像データを前記ディスプレイに表示するためのディスプレイコントローラ（３８）と、前記パケットから音声データを抽出する音声パケット処理部（３５ｃ）と、抽出された音声データを復号化して前記通話装置へ出力するための親機ＣＯＤＥＣ（４９）と、前記識別子の判別を行う端末番号判別回路（４１）と、前記端末番号判別回路で識別された複数の音声データ、画像データを蓄積する不揮発性メモリ（４２）とを備え、
前記子機は、前記親機ＣＯＤＥＣからの前記音声データからパケットを生成し、前記親機ＬＡＮＭＡＣ、前記親機ＬＡＮＰＨＹから前記伝送路を介して前記子機ＬＡＮＰＨＹ、前記子機ＬＡＮＭＡＣを経由して入力され前記パケットから音声データを抽出し前記子機ＣＯＤＥＣを介して前記スピーカに入力するための子機パケット処理部（２２）を備えたことを特徴とするテレビドアホン装置。
【請求項２】
前記居室親機は、前記不揮発性メモリのデータの読み書きを行うカードＩ／Ｆ（４４）と、蓄積保存するカード型不揮発性メモリ（４５）とを備えたことを特徴とする請求項１記載のテレビドアホン装置。
【請求項３】
前記子機は、前記居室親機若しくは前記増設親機の蓄積可能な容量に応じて、画像サイズを任意変更できるスケーリング回路（１４）と、前記画像データ圧縮回路における画像の圧縮率や、前記カメラのフレームレートを制御することができる制御回路（１５）とを備えたことを特徴とする請求項１または請求項２記載のテレビドアホン装置。
【請求項４】
前記増設親機は、前記子機の画像・音声を録画・録音できるメモリ（５０ａ〜５０ｄ）と、前記居室親機より前記増設親機のメモリ容量を管理し、前記子機の画像・音声パケットを指定した増設親機に書込み、読み込み制御を行うファイル管理制御部（４７ｃ）とを備えたことを特徴とする請求項１乃至請求項３何れか１項記載のテレビドアホン装置。
【請求項５】
前記居室親機は、前記複数の子機と複数の居室親機若しくは増設親機を、録画・録音時に、何れの機器間を接続するかを制御する機器接続テーブル（４７ｆ）を備えたことを特徴とする請求項１乃至請求項４何れか１項記載のテレビドアホン装置。
【請求項６】
前記居室親機若しくは前記増設親機は、録画・録音されているデータを他の居室親機若しくは増設親機にコピーし、移動するデータコピー制御部（４７ｂ）を備えたことを特徴とする請求項１乃至請求項５何れか１項記載のテレビドアホン装置。
【請求項７】
前記居室親機は、前記増設親機に書き込まれたデータを全ての増設親機より検索し、一覧表示するファイル検索制御部（４７ａ）を備えたことを特徴とする請求項１乃至請求項６何れか１項記載のテレビドアホン装置。
【請求項８】
前記居室親機若しくは前記増設親機は、前記子機からの録画を始める時間と終了する時間を設定できるタイマ録画設定制御部（４７ｅ）を備えたことを特徴とする請求項１乃至請求項７何れか１項記載のテレビドアホン装置。
【請求項９】
前記居室親機若しくは前記増設親機は、長時間の録画録音のために大容量の不揮発性メモリを備えた大規模メモリ装置（７）と、前記大規模メモリ装置に異なったフォーマットに対応した画像音声が閲覧できるようにフォーマット変換器（８）とを備えたことを特徴とする請求項１乃至請求項８何れか１項記載のテレビドアホン装置。
【請求項１０】
前記子機は、一時表示するための画像を生成するサムネイル生成回路（１７）を備え、前記居室親機は、前記サムネイル生成回路より生成されたサムネイル画像を前記ディスプレイコントローラを介してカレンダーなる画像表示データに重ねて表示するための画像表示データ処理部（４０）を備えたことを特徴とする請求項１乃至請求項９何れか１項記載のテレビドアホン装置。
【発明の詳細な説明】
【技術分野】
【０００１】
本発明は、テレビドアホン装置に係わり、特に複数台の子機を備えたテレビドアホン装置に関する。
【背景技術】
【０００２】
従来から、この種のテレビドアホン装置として、居室親機の呼び出しを行なう呼出ボタン、訪問者の撮像を行なうカメラおよび送受話部を有する子機と、子機からの呼出に応じて呼出音をスピーカで放音し、訪問者の映像をディスプレイで表示し、映像を映像メモリ回路で録画、再生し、映像メモリ回路から再生された映像をディスプレイで表示し、子機と送受話部で通話し、映像の録画、再生と所定のタイミングをとって子機からの音声を録音再生回路で録音、再生する居室親機とを設け、居室親機に、子機から送られている訪問者の映像および映像メモリ回路から再生された映像を切替える映像信号切替スイッチと、子機から送られている訪問者の音声および録音再生回路から再生された音声を映像信号切替スイッチに連動して切替える音声信号切替スイッチとを備えて成るものが知られている（例えば、特許文献１参照）。
【０００３】
このような構成のテレビドアホン装置によれば、留守時において訪問者の映像を録画できると共に訪問者の伝言も録音でき、また、不審な訪問者の声を録音し、ひいては、防犯に役立てることができる。
【０００４】
ところで、このような構成のテレビドアホン装置においては、警戒モードにおいては、居室親機側に設けられたセレクタにより、各子機から送られてくる映像が所定時間ごとに切り替えられ、当該切り替えにより、多チャンネルの映像を録画若しくはモニタすることができるように構成されている。
【０００５】
【特許文献１】特開２００２−２７１７８１号公報（段落番号「００１４」、「００１８」、図１）
【発明の開示】
【発明が解決しようとする課題】
【０００６】
しかしながら、このような構成のテレビドアホン装置においては、同時刻に複数の子機から呼び出し等が行なわれた場合には、後呼びが優先されてしまうという難点があり、また、映像・音声のチャネル数が１チャネルしかないため、複数台のカメラが同時に起動した場合、これらのカメラからの映像を同時に録画・録音することができず、さらに、録画・録音するメモリ容量を簡単に増やすことができない上、フォーマットが異なる画像・音声を再生することができず、また、訪問者の情報を視覚的に分かり易く表示することができないという難点があった。
【０００７】
本発明は、このような難点を解決するためになされたもので、複数台の子機からの画像・音声を居室親機若しくは増設親機に同時に録画・録音することができるテレビドアホン装置を提供することを目的としている。
【課題を解決するための手段】
【０００８】
本発明の第１の態様であるテレビドアホン装置は、複数の子機のカメラで訪問者の映像を撮像して得られる画像データを伝送路を介して接続された居室親機および／または増設親機のディスプレイに表示するとともに子機のマイク、スピーカおよび前記居室親機の通話装置間で通話するにあたり、子機は、カメラにて撮像された画像データを圧縮するための画像データ圧縮回路と、マイクからの音声データを符号化する子機ＣＯＤＥＣと、子機に端末番号を識別するための識別子を付与し、画像データおよび音声データからパケットを生成するパケット前処理部と、パケットをフレーム化して送受信制御するための子機ＬＡＮＭＡＣと、フレーム化されたパケットを符号化するための子機ＬＡＮＰＨＹとを備え、居室親機若しくは増設親機は、伝送路より符号化されたパケットを受信し、復号化する親機ＬＡＮＰＨＹと、復号化されたパケットの受信を制御する親機ＬＡＮＭＡＣと、パケットから音声データ、画像データを分離する親機パケット処理部と、圧縮された画像データを伸長するための画像データ伸長回路と、画像データをディスプレイに表示するためのディスプレイコントローラと、パケットから音声データを抽出する音声パケット処理部と、抽出された音声データを復号化して前記通話装置へ出力するための親機ＣＯＤＥＣと、識別子の判別を行う端末番号判別回路と、端末番号判別回路で識別された複数の音声データ、画像データを蓄積する不揮発性メモリとを備え、子機は、親機ＣＯＤＥＣからの音声データからパケットを生成し、親機ＬＡＮＭＡＣ、親機ＬＡＮＰＨＹから伝送路を介して子機ＬＡＮＰＨＹ、子機ＬＡＮＭＡＣを経由して入力されパケットから音声データを抽出し子機ＣＯＤＥＣを介してスピーカに入力するための子機パケット処理部を備えたものである。
【０００９】
本発明の第２の態様は、第１の態様であるテレビドアホン装置において、居室親機は、不揮発性メモリのデータの読み書きを行うカードＩ／Ｆと、蓄積保存するカード型不揮発性メモリとを備えたものである。
【００１０】
本発明の第３の態様は、第１の態様または第２の態様であるテレビドアホン装置において、子機は、居室親機若しくは増設親機の蓄積可能な容量に応じて、画像サイズを任意変更できるスケーリング回路と、画像データ圧縮回路における画像の圧縮率や、カメラのフレームレートを制御することができる制御回路とを備えたものである。
【００１１】
本発明の第４の態様は、第１の態様乃至第３の態様の何れかの態様であるテレビドアホン装置において、増設親機は、子機の画像・音声を録画・録音できるメモリと、居室親機より増設親機のメモリ容量を管理し、子機の画像・音声パケットを指定した増設親機に書込み、読み込み制御を行うファイル管理制御部とを備えたものである。
【００１２】
本発明の第５の態様は、第１の態様乃至第４の態様の何れかの態様であるテレビドアホン装置において、居室親機は、複数の子機と複数の居室親機若しくは増設親機を、録画・録音時に、何れの機器間を接続するかを制御する機器接続テーブルを備えたものである。
【００１３】
本発明の第６の態様は、第１の態様乃至第５の態様の何れかの態様であるテレビドアホン装置において、居室親機若しくは増設親機は、録画・録音されているデータを他の居室親機若しくは増設親機にコピーし、移動するデータコピー制御部を備えたものである。
【００１４】
本発明の第７の態様は、第１の態様乃至第６の態様の何れかの態様であるテレビドアホン装置において、居室親機は、増設親機に書き込まれたデータを全ての増設親機より検索し、一覧表示するファイル検索制御部を備えたものである。
【００１５】
本発明の第８の態様は、第１の態様乃至第７の態様の何れかの態様であるテレビドアホン装置において、居室親機若しくは増設親機は、子機からの録画を始める時間と終了する時間を設定できるタイマ録画設定制御部を備えたものである。
【００１６】
本発明の第９の態様は、第１の態様乃至第８の態様の何れかの態様であるテレビドアホン装置において、居室親機若しくは増設親機は、長時間の録画録音のために大容量の不揮発性メモリを備えた大規模メモリ装置と、大規模メモリ装置に異なったフォーマットに対応した画像音声が閲覧できるようにフォーマット変換器とを備えたものである。
【００１７】
本発明の第１０の態様は、第１の態様乃至第９の態様の何れかの態様であるテレビドアホン装置において、子機は、一時表示するための画像を生成するサムネイル生成回路を備え、居室親機は、サムネイル生成回路より生成されたサムネイル画像をディスプレイコントローラを介してカレンダーなる画像表示データに重ねて表示するためのデータ処理部を備えたものである。
【発明の効果】
【００１８】
本発明の第１の態様乃至第１０の態様のテレビドアホンによれば、次のような効果を奏する。
【００１９】
第１に、複数台のカメラからの画像・音声を居室親機若しくは増設親機に同時に録画・録音することができる。
【００２０】
第２に、居室親機若しくは増設親機にファイル検索制御部を搭載した場合には、不揮発性メモリ等に書き込まれた全てのファイルデータを検索することができ、所望の画像データおよび音声データを再生することができる。
【００２１】
第３に、子機に、スケーリング回路および制御回路を搭載した場合には、画像データ圧縮回路における画像の圧縮率や、カメラのフレームレートを制御することができ、不揮発性メモリに保存する容量を調整することができる。
【００２２】
第４に、増設親機にファイル管理制御部を搭載した場合には、居室親機に代わって、増設親機が子機の画像・音声データを録画・録音することができる。
【００２３】
第５に、居室親機に機器接続テーブルを搭載した場合には、録画・録音時に、複数の子機と居室親機若しくは複数の増設親機が一対となるよう構成することができ、ひいては居室親機における録画・録音処理を軽減させることができる。
【００２４】
第６に、居室親機若しくは増設親機にデータコピー制御部を搭載した場合には、不揮発性メモリ等に録画・録音されている画像・音声データを自由に他の居室親機・増設親機の不揮発性メモリ等にコピーし、移動することができる。
【００２５】
第７に、居室親機若しくは増設親機にタイマ録画設定制御部を搭載した場合には、子機の録画を始める時間と終了する時間を設定することができる。
【００２６】
第８に、子機にサムネイル生成回路を搭載し、居室親機に画像表示データ処理部を搭載した場合には、サムネイル画像を重ねて表示することができる。
【発明を実施するための最良の形態】
【００２７】
以下、本発明のテレビドアホン装置を適用した好ましい実施の形態例について、図面を参照して詳述する。
［実施例１］
図１は、本発明の第１の実施例におけるテレビドアホン装置のシステム構成図を示している。
【００２８】
同図において、本発明のテレビドアホン装置は、玄関付近や窓等に設置されセンサカメラを有する第１、第２の子機１ａ、１ｂと、玄関付近や窓等に設置されセンサライトカメラを有する第３の子機１ｃと、玄関に設置されカメラを有する第４の子機１ｄと、裏玄関等に設置されカメラを有する第５の子機１ｅと、居室内に設置される居室親機３と、居室内に設置される第１〜第４の増設親機５ａ〜５ｄと、居室等内に設置されるＨＵＢ６とを備えている。ここで、第１の子機１ａは第１の伝送路Ｌ１を構成する第１の子機伝送路Ｌ１ａを介して、第２の子機１ｂは第１の伝送路Ｌ１を構成する第２の子機伝送路Ｌ１ｂを介して、第３の子機１ｃは第１の伝送路Ｌ１を構成する第３の子機伝送路Ｌ１ｃを介して、第４の子機１ｄは第１の伝送路Ｌ１を構成する第４の子機伝送路Ｌ１ｄを介してＨＵＢ６にそれぞれ接続されている。また、ＨＵＢ６は、第２の伝送路Ｌ２を介して居室親機３および第１〜第４の増設親機５ａ〜５ｄに接続され、第４の増設親機５ｄには第３の伝送路Ｌ３を介して第５の子機１ｅが接続されている。
【００２９】
第１〜第５の子機１ａ〜１ｅは、それぞれ同様の構成とされ、それぞれ、図２に示すように、居室親機若しくは増設親機と通話をするための子機マイク１１ａと子機スピーカ１１ｂを有する子機通話装置１１と、子機マイク１１ａからの音声データを符号化する子機ＣＯＤＥＣ１２と、訪問者を撮像するカメラ１３と、居室親機若しくは増設親機の蓄積可能な容量に応じて、画像サイズを任意変更できるスケーリング回路１４と、画像データ圧縮回路における画像の圧縮率や、カメラのフレームレートを制御することができる制御回路１５と、カメラにて撮像された画像データを圧縮するための画像データ圧縮回路１６と、一時表示するための画像を生成するサムネイル生成回路１７と、子機に端末番号を識別するための識別子を付与し、画像データおよび音声データからパケットを生成するパケット前処理部１８と、居室親機を呼び出すための呼出ボタン１９と、パケットをフレーム化して送受信制御するためのＬＡＮ（Local Area Network）ＭＡＣ（Media Access Control）（以下「子機ＬＡＮＭＡＣ」という。）２０と、フレーム化されたパケットを符号化するためのＬＡＮＰＨＹ（Physical Sublayer）（以下「子機ＬＡＮＰＨＹ」という。）２１と、親機ＣＯＤＥＣからの音声データからパケットを生成し、親機ＬＡＮＭＡＣ、親機ＬＡＮＰＨＹから伝送路を介して子機ＬＡＮＰＨＹ、子機ＬＡＮＭＡＣを経由して入力されパケットから音声データを抽出し子機ＣＯＤＥＣを介して子機スピーカに入力するための子機パケット処理部２２と、居室親機３および増設親機５と接続し、パケットの交換をする子機パケット送受信回路２３とを備えている。ここで、制御回路１５は子機ＣＯＤＥＣ１２、カメラ１３、スケーリング回路１４、画像データ圧縮回路１６およびサムネイル生成回路１７に接続され、スケーリング回路１４にはカメラ１３、画像データ圧縮回路１６およびサムネイル生成回路１７が接続されている。また、子機ＣＯＤＥＣ１２は子機マイク１１ａ、子機スピーカ１１ｂ、パケット前処理部１８および子機パケット処理部２２に接続され、子機パケット処理部２２には子機ＬＡＮＭＡＣ２０が接続されている。さらに、パケット前処理部１８は画像データ圧縮回路１６、サムネイル生成回路１７、呼出ボタン１９および子機ＬＡＮＭＡＣ２０に接続され、子機ＬＡＮＭＡＣ２０には子機ＬＡＮＰＨＹ２１を介して子機パケット送受信回路２３が接続されている。
【００３０】
居室親機３および第１〜第４の増設親機５ａ〜５ｄはそれぞれ同様の構成とされ、それぞれ、図３に示すように、居室親機３、子機１ｅおよび増設親機５と接続し、パケットの交換をする親機パケット送受信回路３１と、伝送路より符号化されたパケットを受信し、復号化する親機ＬＡＮＰＨＹ３２と、復号化されたパケットの受信を制御する親機ＬＡＮＭＡＣ３３と、パケットから制御データ、音声データ、画像データを分離する親機パケット処理部３４と、パケットから制御データを抽出する制御パケット処理部３５ａと、パケットから画像データを抽出する画像パケット処理部３５ｂと、パケットから音声データを抽出する音声パケット処理部３５ｃと、圧縮された画像データを伸長するための画像データ伸長回路３７と、画像データをディスプレイ表示するためのＬＣＤＣ（Liquid Crystal Display Controller）等から成るディスプレイコントローラ３８と、訪問者の画像を表示するためのディスプレイ３９と、サムネイル生成回路より生成されたサムネイル画像をディスプレイコントローラを介してカレンダーなる画像表示データに重ねて表示するための画像表示データ処理部４０と、識別子の判別を行う端末番号判別回路４１と、端末番号判別回路で識別された複数の音声データ、画像データを蓄積する不揮発性メモリ４２と、揮発性メモリ４３と、蓄積保存するカード型不揮発性メモリ４５と、カード型不揮発性メモリ４５のデータの読み書きを行うカードインターフエース（以下「Ｉ／Ｆ」という。）４４と、リアルタイムクロック（ＲＴＣ）４６と、各部（回路）を制御するＣＰＵ４７と、子機、居室親機若しくは増設親機と通話をするための親機マイク４８ａと親機スピーカ４８ｂを有する親機通話装置４８と、抽出された音声データを復号化して通話装置へ出力するための親機ＣＯＤＥＣ４９とを備えている。また、ＣＰＵ４７は、増設親機に書き込まれたデータを全ての増設親機より検索し、一覧表示するファイル検索制御部４７ａと、録画・録音されているデータを他の居室親機若しくは増設親機にコピーし、移動するデータコピー制御部４７ｂと、居室親機より増設親機のメモリ容量を管理し、子機の画像・音声パケットを指定した増設親機に書込み、読み込み制御を行うファイル管理制御部４７ｃと、大規模メモリ装置に異なったフォーマットに対応した画像音声が閲覧できるようにしたフォーマット変換回路４７ｄと、子機からの録画を始める時間と終了する時間を設定できるタイマ録画設定制御部４７ｅと、複数の子機と複数の居室親機若しくは増設親機を、録画・録音時に、何れの機器間を接続するかを制御する機器接続テーブル４７ｆとを備えている。ここで、ＣＰＵ４７は、制御パケット処理部３５ａ、画像パケット処理部３５ｂ、音声パケット処理部３５ｃ、画像データ伸長回路３７、画像表示データ処理部４０、端末番号判別回路４１、不揮発性メモリ４２、揮発性メモリ４３、カードＩ／Ｆ４４、ＲＴＣ４６および親機ＣＯＤＥＣ４９に接続され、制御パケット処理部３５ａ、画像パケット処理部３５ｂおよび音声パケット処理部３５ｃには親機パケット処理部３４が、画像データ伸長回路３７には親機パケット処理部３４およびディスプレイコントローラ３８が、画像表示データ処理部４０にはディスプレイコントローラ３８を介してディスプレイ３９が、カードＩ／Ｆ４４にはカード型不揮発性メモリ４５が、親機ＣＯＤＥＣ４９には親機マイク４８ａおよび親機スピーカ４８ｂがそれぞれ接続されている。また、親機パケット処理部３４は、親機ＬＡＮＭＡＣ３３および親機ＬＡＮＰＨＹ３２を介して親機パケット送受信回路３１に接続され、この親機パケット送受信回路３１には第２の伝送路Ｌ２、ＨＵＢ６および第１の伝送路Ｌ１を介して子機パケット送受信回路２３が接続されている。
【００３１】
次に、このように構成された本発明のテレビドアホン装置の動作について説明する。
【００３２】
最初に、来訪者が例えば第４の子機１ｄの呼出ボタン１９を押下して居室親機３および第１〜第４の増設親機５ａ〜５ｄを呼び出す場合の動作について説明する。なお、呼出ボタン１９が押下されると、第１〜第４の増設親機５ａ〜５ｄは居室親機３と同様の動作をすることから、ここでは第１〜第４の増設親機５ａ〜５ｄの動作の説明を省略する。
【００３３】
まず、来訪者が第４の子機１ｄの呼出ボタン１９を押下すると、デジタル化された呼出データがパケット前処理部１８へ送信され、当該パケット前処理部１８において、第４の子機１ｄを識別するための識別子（以下「第１の識別子」という。）が付与され、かつ呼出データからパケット（以下「第１のパケット」という。）が生成される。かかる第１のパケットは子機ＬＡＮＭＡＣ２０でフレーム化され、フレーム化された呼出データは子機ＬＡＮＰＨＹ２１において符号化され、符号化されたパケット（以下「第１のパケット」という。）は子機パケット送受信回路２３、第１の伝送路Ｌ１、ＨＵＢ６、第２の伝送路Ｌ２および親機パケット送受信回路３１を介して、親機パケット送受信回路３１へ送信される。
【００３４】
親機パケット送受信回路３１において受信された符号化された第１のパケットは、親機ＬＡＮＰＨＹ３２で復号化され、復号化された第１のパケットは、親機ＬＡＮＭＡＣ３３を介して親機パケット処理部３４へ送出され、当該親機パケット処理部３４において第１のパケットから呼出データが分離され、制御パケット処理部３５ａ介してＣＰＵ４７へ送出される。かかる呼出データがＣＰＵ４７で検出されると、ＣＰＵ４７において呼出音が作成され親機ＣＯＤＥＣ４９を介して親機スピーカ４８ｂへ送信される。これにより、親機スピーカ４８ｂから呼出音が鳴動する。
【００３５】
ここで、来訪者の呼び出しに応答するため、居住者が親機通話ボタン（不図示）を押下すると、第２の伝送路Ｌ２、ＨＵＢ６および第２の伝送路Ｌ１を介して、第４の子機１ｄの通話機能（子機マイク１１ａおよび子機スピーカ１１ｂ）と、居室親機３の通話機能（親機マイク４８ａおよび親機スピーカ４８ｂ）間に通話路が形成され、これにより、来訪者、居住者間の通話が成立する。
【００３６】
一方、第４の子機１ｄのカメラ１３で撮像された画像データは画像データ圧縮回路１６で圧縮され、圧縮されたデジタル圧縮データがパケット前処理部１８へ送信され、また、子機マイク１１ａから入力された音声は、子機ＣＯＤＥＣ１２で符号化され音声データとしてパケット前処理部１８へ送信される。かかる画像データおよび音声データはパケット前処理部１８において、前述の呼出データと同様に、第１の識別子が付与され、かつ画像データおよび音声データからパケット（以下「第２のパケット」という。）が生成される。かかる第２のパケットは第１のパケットと同様に、子機ＬＡＮＭＡＣ２０でフレーム化され、フレーム化された圧縮データは子機ＬＡＮＰＨＹ２１において符号化され、符号化されたパケット（以下「第２のパケット」という。）は、第１のパケットと同様の経路を経由して親機パケット送受信回路３１へ送信される。
【００３７】
親機パケット送受信回路３１において受信された符号化された第２のパケットは、第１のパケットと同様に、親機ＬＡＮＰＨＹ３２で復号化され、復号化された第２のパケットは、親機ＬＡＮＭＡＣ３３を介して親機パケット処理部３４へ送出され、当該親機パケット処理部３４において第２のパケットから画像データおよび音声データが分離され、それぞれ画像パケット処理部３５ｂ、音声パケット処理部３５ｃ介してＣＰＵ４７へ送出される。かかる画像データおよび音声データがＣＰＵ４７で検出されると、端末番号判別回路４１により、第１の識別子が判別されると共にリアルタイムクロック４６から画像データおよび音声データを着信した日時が取得され、図４に示すように、取得された時刻情報と共に、一時、ファイルとして揮発性メモリ４３に蓄積される。なお、このファイルには端末番号判別回路４１で判別した第１の識別子や第２のパケットに係る画像データおよび音声データが含まれている。
【００３８】
ここで、第４の子機１ｄと略同時に、他の子機、例えば第１〜第３の子機１ａ〜１ｃの各カメラが起動すると、各カメラによって撮像された画像データおよび音声データは第４の子機１ｄにおけるカメラの画像データおよび音声データと同様に、時刻情報と共に、一時、ファイルとして揮発性メモリ４３に蓄積される。
【００３９】
このようにして、順次揮発性メモリ４３に蓄積されたパケットおよびその他のデータ（ファイル）は不揮発性メモリ４２に若しくはカードＩ／Ｆ４４を介してカード型不揮発性メモリ４５に順次蓄積される。
【００４０】
次に、居住者がファイル検索ボタン（不図示）を押下すると、ファイル検索信号がＣＰＵ４７へ送信され、かかるファイル検索信号がＣＰＵ４７で検出されると、ファイル検索制御部４７ａの制御により、不揮発性メモリ４２若しくはカード型不揮発性メモリ４５に書き込まれた全てのファイルデータが検索され、一覧表示される。この場合、全てのファイルデータは時刻情報を基づいて並べ替えることもできる。
【００４１】
ここで、居住者は特定のファイルを選択することによって、所望の画像データおよび音声データを居室親機若しくは増設親機に再生することができる。
【００４２】
以上のように、本発明の第１の実施例におけるテレビドアホン装置によれば、複数台のカメラからの画像データおよび音声データを居室親機若しくは増設親機に同時に録画・録音することができる。
【００４３】
次に、本発明の付加機能について説明する。
【００４４】
第１に、各子機１ａ〜１ｅに、スケーリング回路１４および制御回路１５を搭載した場合には、スケーリング回路１４により、画像サイズを小さくし、また、制御回路１５の制御により、前述の画像データ圧縮回路１６における画像の圧縮率や、カメラ１３のフレームレートを制御することができ、ひいては、揮発性メモリ４３の蓄積可能な容量に応じて、画像サイズを任意変更できるスケーリング回路１４と、前記画像データ圧縮回路における画像の圧縮率や、前記カメラのフレームレートを小さくすることで、不揮発性メモリ４２に保存する容量を調整することができる。
【００４５】
第２に、増設親機にファイル管理制御部４７ｃを搭載した場合には、当該ファイル管理制御部４７ｃの制御により、録画・録音することができる増設親機に録画・録音する制御パケットを送出することで、居室親機に代わって、増設親機が子機の画像・音声データを録画・録音することができる。
【００４６】
第３に、居室親機に機器接続テーブル４７ｆを搭載した場合には、当該機器接続テーブル４７ｆの制御により、録画・録音時に、複数の子機と居室親機若しくは複数の増設親機が一対となるよう構成することができる。具体的には、ファイル管理制御部４７ｃにより、例えば第４の子機１ｄに対して居室親機３を、第１の子機１ａに対して第１の増設親機５ａを、第２の子機１ｂに対して第２の増設親機５ｂを、第３の子機１ｄに対して第３の増設親機５ｃを、第５の子機１ｅに対して第４の増設親機５ｄを１対１で接続することで、それぞれ居室親機若しくは各増設親機で録画・録音することができ、ひいては居室親機における録画・録音処理を軽減させることができる。
【００４７】
第４に、居室親機若しくは増設親機にデータコピー制御部４７ｂを搭載した場合には、不揮発性メモリ若しくはカード型不揮発性メモリに録画・録音されている画像・音声データを自由に一の居室親機から他の増設親機、若しくは一の増設親機から他の増設親機の不揮発性メモリ若しくはカード型不揮発性メモリにコピーし、移動することができる。
【００４８】
第５に、居室親機若しくは増設親機にタイマ録画設定制御部４７ｅおよびリアルタイムクロック４６を搭載した場合には、タイマ録画設定機能により、各子機を制御することで、子機の録画を始める時間と終了する時間を設定することができる。
【００４９】
第６に、子機にサムネイル生成回路１７を搭載し、居室親機に画像表示データ処理部４０を搭載した場合には、サムネイル生成回路より生成されたサムネイル画像を、ディスプレイコントローラを介して図５（ａ）に示すようにカレンダーに重ねて表示することができる。すなわち、各子機において、画像データの他にサムネイル画像を生成し、画像パケットとして居室親機に送信し、これを不揮発性メモリ若しくはカード型不揮発性メモリに蓄積することで、月別の訪問者を確認することができる。具体的には、図５（ａ）に示すように、カレンダーの日にち毎に、代表となるサムネイル画像を表示し、何月何日に誰が訪問したかをサムネイル表示することで確認することができる。また、詳細を閲覧したい場合には、特定の日にちを選択することで、図５（ｂ）に示すように、録画・録音されたデータを再生することができる。この場合、動画・静止画を問わずに録画することも可能である。
［実施例２］
図６は、本発明の第２の実施例におけるテレビドアホン装置のシステム構成図を示している。なお、同図において、図１と共通する部分には同一の符号を付して詳細な説明を省略する。
【００５０】
この実施例においては、居室親機３に親機メモリ３０が、第１の増設親機５ａに第１の増設親機メモリ５０ａが、第２の増設親機５ｂに第２の増設親機メモリ５０ｂが、第３の増設親機５ｃに第３の増設親機メモリ５０ｃが、第４の増設親機５ｄに第４の増設親機メモリ５０ｄがそれぞれ内蔵され、また、ＨＵＢ６には長時間の録画録音のために大容量の不揮発性メモリを備えた大規模メモリ装置７が第４の伝送路Ｌ４を介して接続され、この大規模メモリ装置７には異なったフォーマットに対応した画像音声が閲覧できるようにしたフォーマット変換器８が接続されている。
【００５１】
この実施例においては、長時間の録画録音が可能となり、また、再生しようとする機器端末が異なったフォーマットでしか再生できない場合には、不揮発性メモリに若しくはカード型不揮発性メモリに蓄積された異なったフォーマットデータを、例えばＭＪＰＥＧ（Motion-JPEG）からＭＰＥＧ４(Moving Picture Experts Group Phase 4)に変換して、機器端末へ送信し、再生することができる。
【図面の簡単な説明】
【００５２】
【図１】本発明の第１の実施例におけるテレビドアホン装置のシステム構成図。
【図２】本発明の第１の実施例における子機のブロック図。
【図３】本発明の第１の実施例における居室親機のブロック図。
【図４】本発明の第１の実施例における不揮発性メモリや揮発性メモリに対する各種データの蓄積状況を示す説明図。
【図５】本発明の第１の実施例におけるディスプレイに表示されたサムネイル画像の一例を示す説明図。
【図６】本発明の第２の実施例におけるテレビドアホン装置のシステム構成図。
【符号の説明】
【００５３】
１ａ〜１ｄ・・・子機
１１ａ・・・子機マイク
１１ｂ・・・子機スピーカ
１２・・・子機ＣＯＤＥＣ
１３・・・カメラ
１４・・・スケーリング回路
１５・・・制御回路
１６・・・画像データ圧縮回路
１７・・・サムネイル生成回路
１８・・・パケット前処理部
２０・・・子機ＬＡＮＭＡＣ
２１・・・子機ＬＡＮＰＨＹ
２２・・・子機パケット処理部
３・・・居室親機
３２・・・親機ＬＡＮＰＨＹ
３３・・・親機ＬＡＮＭＡＣ
３４・・・親機パケット処理部
３５ｃ・・・音声パケット処理部
３７・・・画像データ伸長回路
３８・・・ディスプレイコントローラ
３９・・・ディスプレイ
４０・・・画像表示データ処理部
４１・・・端末番号判別回路
４２・・・不揮発性メモリ
４４・・・カードＩ／Ｆ
４５・・・カード型不揮発性メモリ
４７ａ・・・ファイル検索制御部
４７ｂ・・・データコピー制御部
４７ｃ・・・ファイル管理制御部
４７ｄ・・・フォーマット変換回路
４７ｅ・・・タイマ録画設定制御部
４７ｆ・・・機器接続テーブル
４８・・・親機通話装置
４９・・・親機ＣＯＤＥＣ
５ａ〜５ｄ・・・増設親機
５０ａ〜５０ｄ・・・メモリ
７・・・大規模メモリ装置
Ｌ１、Ｌ２・・・伝送路
【図１】
2006211268.tif 000003
【図２】
2006211268.tif 000004
【図３】
2006211268.tif 000005
【図４】
2006211268.tif 000006
【図５】
2006211268.tif 000007
【図６】
2006211268.tif 000008